(57)【特許請求の範囲】
【請求項１】
室内の空気を循環させる循環送風装置と、空気を加熱する加熱装置と、前記加熱装置の下流側に設けられ空気を加湿する加湿装置と、を備え、
前記加湿装置は、下部に水を貯水する貯水部が設けられるとともに、上部に前記貯水部に貯水された水を吸い上げ噴霧する加湿部が設けられ、
前記加湿装置の下流側に、室内に加湿加熱空気を吹き出す第二の吹出口が設けられ、
室内の空気は、前記循環送風装置により前記加熱装置を上方から下方へ通過した後、前記加湿装置の上部に設置された第一の吹出口まで導かれる風路を下方から上方へ通過してから、前記第二の吹出口から室内へ吹き出す経路をたどる空気流通路を形成しており、
前記加湿装置から前記第二の吹出口に導かれる風路の天面側が上側から下側に向かう方向に傾斜して設けられ、前記風路の前記天面側において上側から下側への傾斜方向に沿って延びる複数のリブが設けられることを特徴とするミストサウナ装置。
【請求項２】
前記加湿装置を通過してから上方から下方まで導かれる空気流通路の下流側に設置された前記第二の吹出口の周囲に、水回収装置としての溝が設けられることを特徴とする請求項１記載のミストサウナ装置。
【請求項３】
前記加湿装置を通過してから上方から下方まで導かれる空気流通路の下流側に設置された前記第二の吹出口の周囲に設けられる、水回収装置としての前記溝は、前記貯水部と連通していることを特徴とする請求項１または２に記載のミストサウナ装置。
【発明の詳細な説明】
【技術分野】
【０００１】
本発明はサウナ装置に関わり、特にミストサウナ装置に関するものである。
【背景技術】
【０００２】
図１に示すように、室内の空気を循環させる循環送風装置２と、空気を加熱する加熱装置３と、前記加熱装置３の空気を循環させる流れに対して下流側に設けられた加湿装置４と、を備える公知のミストサウナ装置１である。
【０００３】
前記公知技術のミストサウナ装置１は、水が有効な加湿成分にならずに（即ち微細な水滴になって空気に付かずに）直接にミストサウナ装置１から排出される時、大粒水滴が直接にミストサウナ装置１の吹出口５から排出されることを防止するために、加湿装置４と吹出口５の間に密集する水フィルター６が設けられることにより大粒水滴を回収する。
【０００４】
しかし、前記大粒水滴の回収方法はミストサウナ装置１の風を吹出す抵抗と騒音を増加し、長期間使用の場合に、水垢が溜まるので、長期間使用できない。
【発明の概要】
【０００５】
本発明は前記公知技術のような課題を解決するため、特に水量を回収するミストサウナ装置を提供する。
【０００６】
上記目的を実現するため、本発明は、室内の空気を循環させる循環送風装置と、空気を加熱する加熱装置と、前記加熱装置の下流側に設けられ空気を加湿する加湿装置と、を備えるミストサウナ装置において、前記加湿装置は、下部に水を貯水する貯水部が設けられるとともに、上部に前記貯水部に貯水された水を吸い上げ噴霧する加湿部が設けられ、前記加湿装置の下流側に、室内に加湿加熱空気を吹き出す第二の吹出口が設けられ、室内の空気は、前記循環送風装置により前記加熱装置を上方から下方へ通過した後、前記加湿装置の上部に設置された第一の吹出口まで導かれる風路を下方から上方へ通過してから、前記第二の吹出口から室内へ吹き出す経路をたどる空気流通路を形成しており、前記加湿装置から前記第二の吹出口に導かれる風路の天面側に複数のリブが設けられることを特徴とするミストサウナ装置を提供する。
【０００７】
前記加湿装置から前記第二の吹出口に導かれる風路の前記天面側が傾斜して設けられる。
【０００８】
前記加湿装置を通過してから上方から下方まで導かれる空気流通路の下流側に設置された前記第二の吹出口の周囲に、水回収装置としての溝が設けられる。
【０００９】
前記加湿装置を通過してから上方から下方まで導かれる空気流通路の下流側に設置された前記第二の吹出口の周囲に設けられる、水回収装置としての前記溝は、前記貯水部と連通している。
【００１０】
本発明の効果は出きるだけ微細な水滴を排出し、大粒水滴を回収することができる。加熱装置により得られた熱を再利用できるため、熱ロスが少なく、効率を向上させることができる。
【図面の簡単な説明】
【００１１】
【図１】図１は公知のミストサウナ装置の概略図
【図２Ａ】図２Ａは本発明の異なる角度から見た全体の立体概略図
【図２Ｂ】図２Ｂは本発明の異なる角度から見た全体の立体概略図
【図３】図３は本発明の風路の頂面側の概略図の一
【図４】図４は本発明の風路の頂面側の概略図の二
【図５】図５は本発明の第二の吹出口の概略図の一
【図６】図６は本発明の第二の吹出口の概略図の二
【発明を実施するための形態】
【００１２】
図２Ａ、２Ｂは本発明の異なる角度から見た全体の立体概略図である。図に示すように、本発明のミストサウナ装置１０は、室内の空気を循環させる循環送風装置１１と、空気を加熱する加熱装置１２と、前記加熱装置１２の下流側に設けられ空気を加湿する加湿装置２０と、を備える。加湿装置２０は、下部に水を貯水する貯水部２１が設けられるとともに、上部に前記貯水部２１に貯水された水を吸い上げ噴霧する加湿部２２が設けられる。
【００１３】
図３は本発明の風路の頂面側の概略図の一である、図４は本発明の風路の頂面側の概略図の二である、図５は本発明の第二の吹出口を示す概略図の一である。図に示すように、前記加湿装置２０の下流側には室内に加湿加熱空気を吹き出す第二の吹出口２００が設けられている。室内の空気は、前記循環送風装置１１により前記加熱装置１２を上方から下方へ通過した後、前記加湿装置２０の上部に設置された第一の吹出口１００まで導かれる風路を下方から上方へ通過してから、第二の吹出口２００から室内へ吹き出す経路をたどる空気流通路を形成している。前記加湿装置２０から第二の吹出口２００に導かれる風路の天面側２１０に複数のリブ２２０が設けられる。
【００１４】
加湿部２２は下部に設けられた貯水部２１から水を吸い上げ霧化する回転状のものである。空気が前記加湿装置２０の上部に設置された第一の吹出口１００まで導かれる風路を下方から上方へ通過する場合、加湿部２２から吐出され、有効な加湿成分にならない（即ち微細な水滴になって空気に付かない）水滴は、外側における天面側２１０の風路形成外郭側に衝突して、空気流に衝突する。前記加湿装置２０から前記第二の吹出口２００に導かれる風路の天面側２１０に複数のリブ２２０が設けられ、且つ天面側２１０が傾斜に設置されるので、捕集された大粒水滴は天面側２１０に設けられたリブ２２０に沿って下降することとなる。
【００１５】
また、前記天面側２１０の温度が前記加熱装置１２により加熱された空気の温度より低いので、前記天面側２１０の内壁面に結露が形成しやすい。前記加湿装置２０から前記第二の吹出口２００に導かれる風路の天面側２１０に複数のリブが設けられ、且つ天面側２１０が傾斜に設置されることにより、結露が天面側２１０に任意に流れ、ミストサウナ装置１０の第二の吹出口２００から流れることではなく、傾斜した天面側２１０に設けられたリブ２２０に沿って下降することとなって、貯水部２１に捕集される。
【００１６】
したがって、ミストサウナ装置１０の第二の吹出口２００からは大粒水滴が滴下することではなく、微細な水滴のみを吹き出す。また、加熱装置１２により得られた熱を再利用できるため、熱ロスが少なく、効率を向上させることができる。
【００１７】
図６は本発明の第二の吹出口の概略図の二である。図５、図６に示すように、第二の吹出口２００の周囲に水回収装置としての溝２３０が設けられ、前記溝２３０は貯水部２１と連通している。
【００１８】
加湿装置２０の上部に設置された第一の吹出口１００まで導かれる風路を下方から上方へ導かれる時に、外側における天面側２１０の風路形成外郭側に衝突して、空気流に衝突し、天面側２１０に設けられたリブ２２０に沿って下降する大粒水滴は、第二の吹出口２００の周囲に設けられた溝２３０に捕集される。前記溝２３０に回収された水は貯水部２１に戻ることができ、貯水部２１に溜まった水は再び吸い上げられ噴霧されることとなる。
【図１】
0006031604.tif 000002
【図２Ａ】
0006031604.tif 000003
【図２Ｂ】
0006031604.tif 000004
【図３】
0006031604.tif 000005
【図４】
0006031604.tif 000006
【図５】
0006031604.tif 000007
【図６】
0006031604.tif 000008